(57)【特許請求の範囲】
【請求項１】
雄コネクタを雌コネクタに対し挿入開始位置から仮嵌合位置を経て嵌合完了位置まで挿入可能に構成し、上記雄コネクタと上記雌コネクタのいずれか一方のコネクタに、コネクタ挿入方向とは異なる方向に移動可能な移動体を設けると共に、この移動体の移動に連動してプリセット位置とセット位置との間で変位する操作体を設け、上記移動体と他方のコネクタとに、上記挿入開始位置から上記仮嵌合位置までのコネクタ挿入過程では、上記移動体を移動させて上記操作体をプリセット位置からセット位置まで変位させ、上記仮嵌合位置から上記嵌合完了位置までのコネクタ挿入過程では、上記操作体のプリセット位置からセット位置までの操作によって、上記移動体を移動させて上記他方のコネクタを仮嵌合位置から嵌合完了位置まで変位させるカム手段を設け、上記カム手段は、上記移動体と他方のコネクタとのいずれか一方に設けられたカム溝と、他方に設けられ、且つ、このカム溝に挿入されるカムピンとから構成し、上記カム溝は、上記移動体を移動させて上記操作体をプリセット位置からセット位置まで変位させる操作用傾斜溝部と、上記移動体の移動により上記他方のコネクタが仮嵌合位置から嵌合完了位置まで変位させる嵌合用傾斜溝部とを有し、上記操作用傾斜溝部の操作用傾斜角より上記嵌合用傾斜溝部の嵌合用傾斜角を大きく設定し、上記移動体は、挿入される上記他方のコネクタの両側にそれぞれ配置される一対のものとして構成し、この一対の移動体の上記操作部と連動する移動方向を互いに反対方向となるよう構成し、上記カム溝はこの一対の移動体にそれぞれ複数設けられ、この複数のカム溝は上記操作用傾斜角に設定した上記操作用傾斜溝部、及び、上記嵌合用傾斜角を有さずに上記カムピンに係合しない非カム溝部を有する溝と、上記操作用傾斜角を有さずに上記カムピンに係合しない非カム溝部、及び、上記嵌合用傾斜角に設定した上記嵌合用傾斜溝部を有する溝との２種類から成り、この２種類の溝が交互にそれぞれ配置され、且つ、上記一対の移動体の上下位置の対応する上記溝は互いに相違するように配置されていることを特徴とするコネクタ結合構造。
【請求項２】
請求項１記載のコネクタ結合構造であって、
上記挿入開始位置から上記仮嵌合位置までのコネクタ挿入過程では、双方の端子間の接触が生じない位置関係に設定したことを特徴とするコネクタ結合構造。
【請求項３】
請求項１又は請求項２に記載のコネクタ結合構造であって、
上記操作体は、回転によってプリセット位置とセット位置との間で変位し、操作体取付部材の操作体傾倒面に対して先端側が離れる位置を上記プリセット位置とし、操作体取付部材の操作体傾倒面に対して先端側が接触する位置を上記セット位置として設定したことを特徴とするコネクタ結合構造。
【発明の詳細な説明】
【０００１】
【発明の属する技術分野】
本発明は、雌コネクタと雄コネクタのいずれか一方に移動可能な移動体を設けると共にこの移動体に連動する操作体を設け、この操作体の操作によってコネクタ嵌合を小さな操作力で行うコネクタ結合構造に関する。
【０００２】
【従来の技術】
この種のコネクタ結合構造として本出願人等は、図１０〜図１６に示すものを先に提案した（特許出願平成８年第１６３１８７号出願書類参照）。図１０は雄コネクタと雌コネクタの分離状態を示す斜視図、図１１は雄コネクタと雌コネクタの嵌合状態を示す断面図、図１２は雄コネクタの分解斜視図である。
【０００３】
図１０〜図１２において、コネクタ結合構造は雄コネクタ１と雌コネクタ２とから成り、雄コネクタ１は雌コネクタ２に対し挿入によって嵌合可能に構成されている。雄コネクタ１はその雄ハウジング３の外周にフード部４を有し、このフード部４の上面側と下面側には移動体室５とこれに連通するコネクタ挿入室６とがそれぞれ構成されている。各移動体室５は側面側に移動体用開口部７ａを有すると共にコネクタ対向面側の適所にガイド口７ｂを有し、又、各コネクタ挿入室６はコネクタ対向面側に挿入口８を有している。
【０００４】
一対の移動体９ａ、９ｂは上下の各移動体室５に移動可能にそれぞれ配置され、各移動体９ａ、９ｂにはカム溝１０ａ、１０ｂが３箇所にそれぞれ設けられている。この各カム溝１０ａ、１０ｂの中央部はコネクタ挿入方向に対して傾斜しているが、上位置の移動体９ａのカム溝１０ａと下位置の移動体９ｂのカム溝１０ｂとはその傾斜方向が反対に設定されている。
【０００５】
この各移動体９ａ、９ｂの一端側にはピン部１１が設けられており、この各ピン部１１は操作体１２の各長孔１２ａにそれぞれ回転自在に支持されている。この一対の長孔１２ａはコネクタ挿入方向に直交する方向に対してシフトした位置に設けられ、一対の長孔１２ａ間を結ぶ線上に長い孔として構成されている。又、一対の長孔１２ａ間を結ぶ線の中心位置には回転孔１２ｂが設けられており、この回転孔１２ｂはフード部４の操作体取付部１３のピン部１３ａに挿入されている。この操作体１２は図１３（ａ）に示すプリセット位置と図１６（ａ）に示すセット位置との間で回転し、この回転操作によって一対の移動体９ａ、９ｂは互いに反対方向に移動するよう構成されている。
【０００６】
又、雄コネクタ１の雄ハウジング３の中央部には雌端子である圧着端子１４が多数固定され、この各圧着端子１４のコネクタ対向面側の雄ハウジング３にはピン挿入孔（特に符号を付けず）が形成されている。
【０００７】
雌コネクタ２はその雌ハンジング１５の挿入部１５ａの上面と下面にカムピン１６ａ、１６ｂが各３箇所設けられており、上下位置の各カムピン１６ａ、１６ｂは上記一対の移動体９ａ、９ｂのカム溝１０ａ、１０ｂに対応した位置に配置されている。又、雌ハウジング１５の中央部には雄端子であるピン端子１７が多数固定され、各ピン端子１７の一端はコネクタ対向面側に突出している。
【０００８】
次に、上記コネクタ結合構造の嵌合動作を図１３〜図１６を用いて説明する。尚、これら図１３〜図１６において、（ａ）は主に操作体１２の位置を示し、（ｂ）は（ａ）の平面図に相当して主にカム溝１０ａ、１０ｂとカムピン１６ａ、１６ｂとの位置関係を示している。
【０００９】
図１３（ａ）に示すように、操作体１２はその先端側がフード部４上面より離れたプリセット位置にあり、この状態で雄コネクタ１のフード部４に雌コネクタ２の雌ハウジング１５の挿入部１５ａを挿入すると、カムピン１６ａ、１６ｂがフード部４のガイド口７ｂを経て各移動体９ａ、９ｂのカム溝１０ａ、１０ｂにそれぞれ入り込む。図１３の状態から操作体１２をセット位置方向に回動すると、上位置の移動体９ａは矢印Ｒで示す右方向に、下位置の移動体９ｂは矢印Ｌで示す左方向にそれぞれ移動する。この各移動に伴って、雌コネクタ２のカムピン１６ａ、１６ｂがカム溝１０ａ、１０ｂ内をそれぞれ移動し、この移動と同時に雌コネクタ２が雄コネクタ１内に引き込まれる。
【００１０】
図１４の状態よりさらに操作体１２を回動すると、図１５に示すように、雌コネクタ２のカムピン１６ａ、１６ｂがカム溝１０ａ、１０ｂの傾斜部分を抜け、このとき雌コネクタ２の雄コネクタ１への挿入方向への移動が完了する。雌コネクタ２のピン端子１７が雄コネクタ１の圧着端子１４内に挿入されて両コネクタ１、２相互の電気的導通が図られる。
【００１１】
図１５の状態よりさらに操作体１２を回動し、図１６に示すように、セット位置まで回動すると、カムピン１６ａ、１６ｂがカム溝１０ａ、１０ｂの最奥まで入り、これでコネクタ結合構造の嵌合作業は終了する。コネクタ結合構造の離脱作業は、上記とは逆方向に操作部１２を回動操作すれば良い。
【００１２】
【発明が解決しようとする課題】
しかしながら、上記従来のコネクタ結合構造では、嵌合作業の開始時は操作体１２がプリセット位置から始まり、嵌合作業の終了時は操作体１２がセット位置となるため、嵌合作業の開始時と終了時では操作体１２の回転位置が異なる。従って、操作体１２がセット位置にある状態から嵌合作業を始める場合には一旦操作体１２をプリセット位置まで回動した後に行う必要があるため、嵌合作業が面倒であった。一般にはコネクタ結合構造の製造工程と組付工程とは異なる場所であり、操作体１２はコンパクトな形状であるセット位置とされて搬送されるため、嵌合作業は面倒なものとなる。又、離脱作業においても同様であり、コネクタ離脱後には操作体１２をレバーセット位置に戻す必要がある。
【００１３】
そこで、本発明は、前記した課題を解決すべくなされたものであり、嵌合作業及び離脱作業における操作体の操作が１動作で可能となるコネクタ結合構造を提供することを目的とする。
【００１４】
【課題を解決するための手段】
請求項１の発明は、雄コネクタを雌コネクタに対し挿入開始位置から仮嵌合位置を経て嵌合完了位置まで挿入可能に構成し、上記雄コネクタと上記雌コネクタのいずれか一方のコネクタに、コネクタ挿入方向とは異なる方向に移動可能な移動体を設けると共に、この移動体の移動に連動してプリセット位置とセット位置との間で変位する操作体を設け、上記移動体と他方のコネクタとに、上記挿入開始位置から上記仮嵌合位置までのコネクタ挿入過程では、コネクタ挿入力によって上記移動体を移動させて上記操作体をプリセット位置からセット位置まで変位させ、上記仮嵌合位置から上記嵌合完了位置までのコネクタ挿入過程では、上記操作体のプリセット位置からセット位置までの操作によって、上記移動体を移動させて上記他方のコネクタを仮嵌合位置から嵌合完了位置まで変位させるカム手段を設け、上記カム手段は、上記移動体と他方のコネクタとのいずれか一方に設けられたカム溝と、他方に設けられ、且つ、このカム溝に挿入されるカムピンとから構成し、上記カム溝は、上記移動体を移動させて上記操作体をプリセット位置からセット位置まで変位させる操作用傾斜溝部と、上記移動体の移動により上記他方のコネクタが仮嵌合位置から嵌合完了位置まで変位させる嵌合用傾斜溝部とを有し、上記操作用傾斜溝部の操作用傾斜角より上記嵌合用傾斜溝部の嵌合用傾斜角を大きく設定し、上記移動体は、挿入される上記他方のコネクタの両側にそれぞれ配置される一対のものとして構成し、この一対の移動体の上記操作部と連動する移動方向を互いに反対方向となるよう構成し、上記カム溝はこの一対の移動体にそれぞれ複数設けられ、この複数のカム溝は上記操作用傾斜角に設定した上記操作用傾斜溝部、及び、上記嵌合用傾斜角を有さずに上記カムピンに係合しない非カム溝部を有する溝と、上記操作用傾斜角を有さずに上記カムピンに係合しない非カム溝部、及び、上記嵌合用傾斜角に設定した上記嵌合用傾斜溝部を有する溝との２種類から成り、この２種類の溝が交互にそれぞれ配置され、且つ、上記一対の移動体の上下位置の対応する上記溝は互いに相違するように配置されているたことを特徴とする。
【００１５】
このコネクタ結合構造では、操作体がセット位置にあって雄コネクタを雌コネクタに対し挿入開始位置から仮嵌合位置まで挿入すると、カム手段により移動体が移動し、この移動体の移動によって操作体がプリセット位置に変位し、次に、操作体をプリセット位置からセット位置まで移動させると、カム手段により移動体が移動して他方のコネクタが嵌合完了位置まで挿入される。また、このコネクタ結合構造では、カムピンがカム溝に挿入状態でガイドされる。更に、このコネクタ結合構造では、挿入開始位置から仮嵌合位置までのコネクタ挿入によって移動体の移動方向に作用する押圧力が大きくなり、プリセット位置からセット位置までの操作体の移動によるコネクタ側の挿入方向への押圧力も大きくなる。また、このコネクタ結合構造では、操作体をセット位置からプリセット位置まで変位させる移動体への押圧力と、雄コネクタを雌コネクタに対し仮嵌合位置から嵌合完了位置まで挿入させるコネクタ側への押圧力とが左右対称に作用する。そして、このコネクタ結合構造では、カムピンは操作用溝部で押圧力又は反力をうけるものと、嵌合用溝部で押圧力又は反力をうけるものとに分かれる。
【００１６】
請求項２の発明は、請求項１記載のコネクタ結合構造であって、上記挿入開始位置から上記仮嵌合位置までのコネクタ挿入過程では、双方の端子間の接触が生じない位置関係に設定したことを特徴とする。
【００１７】
このコネクタ結合構造では、請求項１の発明の作用に加え、雄コネクタを雌コネクタに対し挿入開始位置から仮嵌合位置まで挿入するに際して端子間の圧接抵抗による反力を受けない。
【００１８】
請求項３の発明は、請求項１又は請求項２に記載のコネクタ結合構造であって、上記操作体は、回転によってプリセット位置とセット位置との間で変位し、操作体取付部材の操作体傾倒面に対して先端側が離れる位置を上記プリセット位置とし、操作体取付部材の操作体傾倒面に対して先端側が接触する位置を上記セット位置として設定したことを特徴とする。
【００１９】
このコネクタ結合構造では、請求項１又は請求項２の発明の作用に加え、コネクタの嵌合作業時及び離脱作業時のみ操作体は操作体取付部材の操作体傾倒面に対して先端側が離れるプリセット位置となる。
【００２８】
【発明の実施の形態】
以下、本発明の一実施形態を図面に基づいて説明する。
【００２９】
図１（ａ）は本発明の一実施形態に係るコネクタ結合構造の斜視図、図１（ｂ）は一対の移動体の斜視図、図２は雌コネクタの分解斜視図である。図１及び図２において、コネクタ結合構造は、雄コネクタ１と雌コネクタ２とからなり、雄コネクタ１は雌コネクタ２に対し挿入開始位置から仮嵌合位置を経て嵌合完了位置まで挿入可能に構成されている。雌コネクタ２の雌ハウジング１５内には雄コネクタ１を収容するコネクタ収容室６が設けられており、このコネクタ収容室６の一面は解放されて挿入口８として構成されている。
【００３０】
雌ハウジング１５内で、且つ、コネクタ収容室６の両側スペ−スには移動室５がそれぞれ形成されており、この移動室５の内面側はコネクタ収容室６に開口している。また、雌ハウジング１５の挿入口８の両側にはそれぞれ下記するカムピン１６ａ，１６ｂを挿入するためのガイド口７ｂが６箇所に形成されており、このガイド口７ｂは挿入口８に一面を開口していると共に各移動室５に開口している。この一対の移動室５にはそれぞれ移動体９ａ、９ｂが配置されており、この一対の移動体９ａ、９ｂはコネクタ挿入方向方向と直交する方向に互いに独立して移動可能に構成されている。
【００３１】
この各移動体９ａ、９ｂの一端側は、雌ハウジング１５に回転可能に支持された操作体１２にそれぞれ回転自在に支持されており、その構成は従来例と同様であるため、図面に同一符号を付してその説明を省略する。従って、一対の移動体９ａ、９ｂは操作体１２の回転によって互いに反対方向に移動する。  又、操作体１２は、回転によってプリセット位置とセット位置との間で変位し、操作体取付部材である雌コネクタ１の雌ハウジング１５上面が操作体傾倒面２３とされる。そして、この操作体傾倒面２３に対して先端側が離れる位置（立ち上がり状態）をプリセット位置とし、操作体傾倒面２３に対して先端側が接触する位置（傾倒状態）をセット位置として設定されている。
【００３２】
一対の移動体９ａ、９ｂと雄コネクタ１とには、雄コネクタ１の挿入に際して作動するカム手段Ｋが設けられている。このカム手段Ｋは、一対の移動体９ａ、９ｂにそれぞれ６箇所設けられたカム溝２０、２１と雄コネクタ１の雄ハウジング３の上下位置にそれぞれ６個設けられたカムピン１６ａ、１６ｂとから構成されている。
【００３３】
上記複数のカム溝２０、２１には挿入開始位置から仮嵌合位置までのコネクタ挿入過程でカムピン１６ａ、１６ｂに係合する操作用傾斜溝部２０ａと、仮嵌合位置から嵌合完了位置までのコネクタ挿入過程ではカムピン１６ａ、１６ｂになんら係合しない非カム溝部２０ｂとから成るものと、反対に挿入開始位置から仮嵌合位置までのコネクタ挿入過程ではカムピン１６ａ、１６ｂになんら係合しない非カム溝部２１ａと、仮嵌合位置から嵌合完了位置までのコネクタ挿入過程でカムピン１６ａ、１６ｂに係合する嵌合用傾斜溝部２１ｂとから成るものとの２種類がある。
【００３４】
そして、各移動体９ａ、９ｂにはこの２種類のカム溝２０、２１が交互にそれぞれ配置され、且つ、上下位置の対応するカム溝２０、２１の種類は相違するよう配置されている。
【００３５】
カム溝２０の操作用傾斜溝部２０ａは、カム溝２０とカムピン１６ａ、１６ｂによる移動体９ａ、９ｂへの押圧分力方向が操作体１２のセット位置方向になり、且つ、仮嵌合位置でセット位置まで変位するよう操作用傾斜角Ａ１  が設定されている。又、カム溝２１の嵌合用傾斜溝部２１ｂは、カム溝２１とカムピン１６ａ、１６ｂによる移動体９ａ、９ｂへの押圧分力方向が操作体１２のセット位置方向になり、且つ、嵌合完了位置でセット位置まで変位するよう嵌合用傾斜角Ａ２  が設定されている。そして、一対の移動体９ａ、９ｂは互いに反対方向に移動するため、上下位置のカム溝２０、２１はコネクタ挿入方向に対し各傾斜角の方向が逆に設定されている。
【００３６】
又、詳しくは、カム溝２０の操作用傾斜部２０ａのピン挿入側にはコネクタ挿入方向と同一方向のピン導入部２０ｃを有し、カム溝２１の嵌合用傾斜溝部２１ｂの最奥側には移動体９ａ、９ｂの移動方向と同一方向のピン終端部２１ｃを有している。
【００３７】
図３（ａ）は操作用傾斜角Ａ１  と嵌合用傾斜角Ａ２  の設定関係を説明する図である。図３において、Ｗを移動体９ａ、９ｂの幅、Ｓを移動体９ａ、９ｂの移動ストロークとすると、カムピン１６ａ、１６ｂの溝挿入開始ポイントＰ１と溝嵌合完了ポイントＰ２は同一ラインＬ１上に設定され、このラインＬ１に平行で、且つ、移動ストロークのＳだけ離れたラインＬ２上に操作用傾斜角Ａ１  と嵌合用傾斜角Ａ２  とのクロスポイントＰ３が設定される。又、クロスポイントＰ３が移動体９ａ、９ｂの幅方向に対して仮嵌合位置となる。このクロスポイントＰ３をラインＬ２上で自由に移動することによって操作用傾斜角Ａ１  と嵌合用傾斜角Ａ２  とは可変され、その角度設定は操作用傾斜角Ａ１  より嵌合用傾斜角Ａ２  が大きくなるよう設定されている。尚、移動体９ａ、９ｂの幅方向の中心ポイントＰ４で操作用傾斜角Ａ１  と嵌合用傾斜角Ａ２  とは同じ角度になり、又、コネクタの挿入開始位置から仮嵌合位置までのストロークと仮嵌合位置から嵌合完了位置までのストロークとが同じになる。
【００３８】
また、従来例と同様に、雄コネクタ１には雌端子である圧着端子（図示せず）が、雌コネクタ２には雄端子であるピン端子（図示せず）がそれぞれ設けられているが、挿入開始位置から仮嵌合位置までのコネクタ挿入過程では、雄端子と雌端子間の接触が生じない位置関係に設定されている。
【００３９】
次に、上記コネクタ結合構造の嵌合動作を図４〜図９を用いて説明する。尚、図５、図７、図９においては、上位置の移動体９ａのカム溝２０、２１とカムピン１６ａとの位置関係を示している。
【００４０】
図４に示すように、操作体１２はその先端側が雌ハウジング１５上面である操作体傾倒面２３に接触するセット位置にあり、この状態で雌コネクタ２の雌ハウジング１５の挿入口８よりコネクタ収容室６に雄コネクタ１の雄ハウジング３を挿入すると、図４及び図５に示すように、カムピン１６ａ、１６ｂが開口部７ｂを経て各移動体９ａ、９ｂのカム溝２０、２１にそれぞれ入り込む。図４及び図５の状態からさらに、雄コネクタ１の雄ハウジング３を挿入すると、カムピン１６ａより押圧力を受けて上位置の移動体９ａは矢印Ｒで示す右方向に、下位置の移動体９ｂはこれとは反対の左方向にそれぞれ移動する。
【００４１】
この各移動移動に連動して操作体１２はセット位置からプリセット位置方向に回動し、図６及び図７に示すように、仮嵌合位置までコネクタ挿入されると、操作体１２はその先端側が操作体傾倒面２３より十分離れるプリセット位置となる。仮嵌合位置ではカムピン１６ａは操作用傾斜部２０ａの終端位置又は嵌合用傾斜部２１ｂの始端位置に位置する。
【００４２】
図６及び図７の状態より操作体１２を図６にて矢印で示すセット位置方向に回動すると、一対の移動体９ａ、９ｂが上記とは逆方向、つまり上位置の移動体９ａは矢印Ｌで示す左方向に、下位置の移動体９ｂはこれとは反対の右方向にそれぞれ移動して雄コネクタ１のカムピン１６ａがカム溝２１の嵌合用傾斜溝部２１ｂより押圧力を受け、この押圧分力によって雄コネクタ１が雌コネクタ２に引き込まれる。そして、操作体１２が再びセット位置まで回動されると、図８及び図９に示すように、カムピン１６ａが嵌合用傾斜溝部２１ｂまたは非カム溝部２０ｂの終端に位置し、これでコネクタ結合構造の嵌合作業は終了する。
【００４３】
一方、コネクタ結合構造の離脱作業は、上記とは逆方向に、つまりプリセット位置からセット位置に操作体１２を回動操作すれば雄コネクタ１は仮嵌合位置まで変位し、この雄コネクタ１を仮嵌合位置から挿入開始位置まで雌コネクタ２より引き離しすれば、この動作によって操作体１２がセット位置まで戻り、離脱作業が終了する。
【００４４】
上記コネクタの嵌合動作において、操作体１２がセット位置にある状態でコネクタの挿入を開始するとこれによって操作体１２が自動的にプリセット位置となるため、操作体１２の操作としてはプリセット位置からセット位置への１動作だけで良く、嵌合作業が容易である。コネクタ結合構造の離脱作業も同様に容易である。又、嵌合作業の開始時と終了時では操作体１２の回転位置が同じであるため、取扱い易い。
【００４５】
また、コネクタの嵌合作業時及び離脱作業時のみ操作体１２は雌コネクタ２の操作体傾倒面２３に対して先端側が離れるプリセット位置となり、それ以外は操作体傾倒面２３に対して先端側が接触するセット位置であるため、他部品との接触による破損等の可能性が少なくなる。
【００４６】
上記コネクタの嵌合動作において、移動体９ａ、９ｂは、雄コネクタ１の上下位置にそれぞれ配置され、この一対の移動体９ａ、９ｂの移動方向を互いに反対方向となるよう設定して、この各移動体９ａ、９ｂに対応する上下位置のカム溝２０、２１の傾斜角の方向を逆に設定した。したがって、操作体１２をセット位置からプリセット位置まで変位させる移動体９ａ、９ｂへの押圧力と、雄コネクタ１を雌コネクタ２に対し仮嵌合位置から嵌合完了位置まで挿入させるコネクタ側への押圧力とがそれぞれ左右対称に作用するため、操作体１２の回転中心に１８０度対称位置で同一回転力が作用し操作体１２の回転がスムーズになり、又、コネクタ嵌合力も全体でほぼ均等に作用し嵌合作業がスムーズになる。
【００４７】
上記コネクタの嵌合、離脱動作において、カムピン１６ａ、１６ｂはカム溝２０、２１に挿入状態でガイドされるため、カムピン１６ａ、１６ｂの移動が確実に行われる。
【００４８】
上記コネクタの嵌合動作において、挿入開始位置から上記仮嵌合位置までのコネクタ挿入過程では、雄端子と雌端子間の接触が生じない位置関係に設定されているため、コネクタの後面を押圧する挿入動作が小さい挿入力ででき、又、カム手段Ｋにより大きな挿入力が得られる仮嵌合位置から嵌合完了位置の間で双方の端子間の接触がなされるため、全体的に小さな操作力で嵌合でき、嵌合作業がスムーズに、且つ、容易にできる。
【００４９】
上記コネクタの嵌合動作において、カムピン１６ａ、１６ｂと移動体９ａ、９ｂとの相互の押圧力は以下のようになる。図３（ｂ），（ｃ）はカム溝２０、２１とカムピン１６ａ、１６ｂの相互に作用する力を説明する図である。図３（ｂ）において、挿入開始位置から仮嵌合位置までのコネクタ挿入過程では、カムピン１６ａ、１６ｂが操作用傾斜溝部２０ａを介して移動体９ａ、９ｂを挿入力Ｆ１で押圧する。すると、移動体９ａ、９ｂには傾斜角に直交する押圧力Ｎ１が作用し、この押圧力Ｎ１の分力Ｎａによって移動体９ａ、９ｂが移動される（尚、上位置の移動体９ａと下位置の移動体９ｂではこの移動方向は逆）。そして、操作用傾斜角Ａ１  が嵌合用傾斜角Ａ２  より小さく設定したことからも、この分力Ｎａは他の分力Ｎｂより一般に大きくなり、これによって大きな移動力が得られる。
【００５０】
図３（ｃ）において、操作部１２のプリセット位置からセット位置までの回動過程では、移動体９ａ、９ｂがその嵌合用傾斜溝部２１ｂによってカムピン１６ａ、１６ｂを押圧力Ｆ２で押圧する。すると、カムピン１６ａ、１６ｂには傾斜角に直交する押圧力Ｎ２が作用し、この押圧力Ｎ２の分力Ｎｄによって雄コネクタ１が挿入される。そして、嵌合用傾斜角Ａ２  が操作用傾斜角Ａ１  より大きく設定したことからも、この分力Ｎｄは他の分力Ｎｃより大きくなり、これによって大きな挿入力が得られる。
【００５１】
以上実施形態によれば、複数のカム溝２０、２１は操作用傾斜角に設定される操作用傾斜溝部２０ａでのみカムピン１６ａ、１６ｂと係合されるカム溝２０と、嵌合用傾斜角に設定される嵌合用傾斜溝部２１ｂでのみカムピン１６ａ、１６ｂと係合されるカム溝２１との２種類から成るため、カムピン１６ａ、１６ｂは操作用傾斜溝部２０ａで反力（外力）をうけるものと、嵌合用操作溝部２１ｂで押圧力（外力）をうけるものとに分かれることになり、カムピン１６ａ、１６ｂの耐久性が向上する。
【００５２】
尚、前記実施形態によれば、雌コネクタ２に移動体９ａ、９ｂを設けたが、雄コネクタ１に設けても良い。又、移動体９ａ、９ｂにカム溝２０、２１を設け、雄コネクタ１にカムピン１６ａ、１６ｂを設けたが、雄コネクタ１又は雌コネクタ２にカム溝２０、２１を設け、移動体９ａ、９ｂにカムピン１６ａ、１６ｂを設けても良い。
【００５３】
尚、前記実施形態によれば、カム溝２０、２１は、挿入開始位置から仮嵌合位置までのコネクタ挿入過程でカムピン１６ａ、１６ｂに係合する操作用傾斜溝部２０ａと、仮嵌合位置から嵌合完了位置までのコネクタ挿入過程でカムピン１６ａ、１６ｂになんら係合しない非カム溝部２０ｂとから成るものと、反対に挿入開始位置から上記仮嵌合位置までのコネクタ挿入過程でカムピン１６ａ、１６ｂになんら係合しない非カム溝部２１ａと、仮嵌合位置から嵌合完了位置までのコネクタ挿入過程でカムピン１６ａ、１６ｂに係合する嵌合用傾斜溝部２１ｂとから成るものとの２種類にて構成したが、１種類にて構成しても良いことはもちろんである。この場合には、カム溝は挿入開始位置から仮嵌合位置までのコネクタ挿入過程でカムピン１６ａ、１６ｂに係合する操作用傾斜溝部２０ａと仮嵌合位置から嵌合完了位置までのコネクタ挿入過程でカムピン１６ａ、１６ｂに係合する嵌合用傾斜溝部２１ｂとの双方を有するものとする。又、カム溝２０、２１の構成については、コネクタの種類、極数、サイズによって適切なカム溝や各傾斜角を設定することで低挿入力のコネクタとすることができる。
【００５４】
尚、前記実施形態によれば、上下一対の移動体９ａ、９ｂにて構成したが、単一の移動体にて構成しても良い。
【００５５】
【発明の効果】
以上説明したように、請求項１の発明によれば、雄コネクタを雌コネクタに対し挿入開始位置から仮嵌合位置を経て嵌合完了位置まで挿入可能に構成し、上記雄コネクタと上記雌コネクタのいずれか一方のコネクタに、移動可能な移動体を設けると共に、この移動体の移動に連動してプリセット位置とセット位置との間で変位する操作体を設け、上記移動体と他方のコネクタとに、上記挿入開始位置から上記仮嵌合位置までのコネクタ挿入過程では、上記移動体を移動させて上記操作体をプリセット位置からセット位置まで変位させ、上記仮嵌合位置から嵌合完了位置までの挿入過程では、上記操作体のプリセット位置からセット位置までの操作によって、上記移動体を移動させて上記他方のコネクタが仮嵌合位置から嵌合完了位置まで変位させるカム手段を設けたので、操作体がセット位置にある状態でコネクタの挿入を開始するとこれによって操作体が自動的にプリセット位置となるため、操作体の操作としてはプリセット位置からセット位置への１動作だけで良く、又、離脱時もセット位置からプリセット位置への１動作だけで良くコネクタ結合構造の嵌合作業及び離脱作業が容易である。
【００５６】
また、請求項１の発明によれば、カム手段は、上記移動体と他方のコネクタとのいずれか一方に設けられたカム溝と、他方に設けられ、且つ、このカム溝に挿入されるカムピンとから構成したので、カムピンがカム溝に挿入状態でガイドされてカム動作を行うため、カムピンの移動が確実になされる。
【００５７】
更に、請求項１の発明によれば、カム溝は、上記移動体を移動させて上記操作体をプリセット位置からセット位置まで変位させる操作用傾斜溝部と、上記移動体の移動により上記他方のコネクタが仮嵌合位置から嵌合完了位置まで変位させる嵌合用傾斜溝部とを有し、上記操作用傾斜溝部の操作用傾斜角より上記嵌合用傾斜溝部の嵌合用傾斜角を大きく設定したので、挿入開始位置から仮嵌合位置までのコネクタ挿入によって移動体の移動方向に作用する押圧力が大きくなるため、大きな移動力が得られ、又、プリセット位置からセット位置までの操作体の移動によるコネクタ側の挿入方向への押圧力も大きくなるため、大きなコネクタ挿入力が得られる。
【００５８】
また、請求項１の発明によれば、移動体は、挿入される他方のコネクタの両側にそれぞれ配置される一対のものとして構成し、この一対の移動体の上記操作体と連動する移動方向を互いに反対方向となるよう設定したので、操作体をセット位置からプリセット位置まで変位させる移動体への押圧力と、雄コネクタを雌コネクタに対し仮嵌合位置から嵌合完了位置まで挿入させるコネクタ側への押圧力とが左右対称に作用するため、操作体の回転がスムーズになり、又、コネクタ嵌合力も全体でほぼ均等に作用し嵌合作業がスムーズになる。
【００５９】
また、請求項１の発明によれば、カム溝は複数設けられ、この複数のカム溝は操作用傾斜角に設定した操作用傾斜部、及び、嵌合用傾斜角を有さずにカムピンに係合しない非カム溝部を有する溝と、操作用傾斜角を有さずにカムピンに係合しない非カム溝部、及び、嵌合用傾斜角に設定した嵌合用傾斜溝部を有する溝との２種類から成るので、カムピンは操作用溝部で押圧力又は反力をうけるものと、嵌合用溝部で押圧力又は反力をうけるものとに分かれるため、カムピンの耐久性が向上する。
【００６０】
請求項２の発明によれば、請求項１記載のコネクタ結合構造であって、挿入開始位置から仮嵌合位置までのコネクタ挿入過程では、双方の端子間の接触が生じない位置関係に設定したので、請求項１の発明の効果に加え、雄コネクタを雌コネクタに対し挿入開始位置から仮嵌合位置まで挿入するに際して端子間の圧接抵抗による反力を受けないため、小さな挿入力でスムーズにコネクタが挿入できる。
【００６１】
請求項３の発明によれば、請求項１又は請求項２に記載のコネクタ結合構造であって、操作体は、回転によってプリセット位置とセット位置との間で変位し、操作体取付部材の操作体傾倒面に対して先端側が離れる位置を上記プリセット位置とし、操作体取付部材の操作体傾倒面に対して先端側が接触する位置を上記セット位置として設定したので、請求項１又は請求項２の発明の効果に加え、コネクタの嵌合作業時及び離脱作業時のみ操作体は操作体取付部材の操作体傾倒面に対して先端側が離れるプリセット位置となるため、他部品との接触による破損等の可能性が少なくなる。
【図面の簡単な説明】
【図１】（ａ）は本発明の一実施形態に係るコネクタ結合構造の斜視図、（ｂ）は一対の移動体の斜視図である。
【図２】本発明の一実施形態に係る雌コネクタの分解斜視図である。
【図３】（ａ）は操作用傾斜角Ａ１  と嵌合用傾斜角Ａ２  の設定関係を説明する図、（ｂ）、（ｃ）はそれぞれカム溝とカムピンの相互に作用する力を説明する図である。
【図４】本発明の一実施形態に係る挿入開始位置にあるコネクタ結合構造の斜視図である。
【図５】本発明の一実施形態に係る挿入開始位置にあるコネクタ結合構造の断面図である。
【図６】本発明の一実施形態に係る仮嵌合位置にあるコネクタ結合構造の斜視図である。
【図７】本発明の一実施形態に係る仮嵌合位置にあるコネクタ結合構造の断面図である。
【図８】本発明の一実施形態に係る嵌合位置にあるコネクタ結合構造の斜視図である。
【図９】本発明の一実施形態に係る嵌合位置にあるコネクタ結合構造の断面図である。
【図１０】従来例のコネクタ結合構造の嵌合前の斜視図である。
【図１１】従来例のコネクタ結合構造の嵌合状態の断面図である。
【図１２】従来例の雄コネクタの分解斜視図である。
【図１３】（ａ）は従来例の嵌合初期の動作説明のための斜視図、（ｂ）はその断面図である。
【図１４】（ａ）は従来例の嵌合中期の動作説明のための斜視図、（ｂ）はその断面図である。
【図１５】（ａ）は従来例の嵌合中期の動作説明のための斜視図、（ｂ）はその断面図である。
【図１６】（ａ）は従来例の嵌合後期の動作説明のための斜視図、（ｂ）はその断面図である。
【符号の説明】
１  雄コネクタ
２  雌コネクタ
９ａ、９ｂ  移動体
１２  操作体
１６ａ、１６ｂ  カムピン
２０、２１  カム溝
２０ａ  操作用傾斜溝部
２０ｂ、２１ａ  非カム部
２１ｂ  嵌合用傾斜溝部
２３  操作体傾倒面
Ｋ  カム手段
【図１】
0003568775.tif 000002
【図２】
0003568775.tif 000003
【図３】
0003568775.tif 000004
【図４】
0003568775.tif 000005
【図５】
0003568775.tif 000006
【図６】
0003568775.tif 000007
【図７】
0003568775.tif 000008
【図８】
0003568775.tif 000009
【図９】
0003568775.tif 000010
【図１０】
0003568775.tif 000011
【図１１】
0003568775.tif 000012
【図１２】
0003568775.tif 000013
【図１３】
0003568775.tif 000014
【図１４】
0003568775.tif 000015
【図１５】
0003568775.tif 000016
【図１６】
0003568775.tif 000017